(57)【要約】【課題】プリント対象シーンを特定するための処理を容易に且つ短時間で行なえるデジタルカメラを提供すること。【解決手段】動画モードで撮影を行なうと、撮像デバイス（１０２）で撮像された被写体像の動画データが圧縮・伸長処理部（１０６）でフレーム毎に圧縮されてメモリーカード（１０８）に記録される。その際、プリントを希望するフレームにはユーザの指示に従いマーキングデータが付加される。メモリーカード（１０８）に記録された動画データの読み出し時には、マーキングデータが付加されているフレームが検索され、該当フレームが検出される都度、該当フレームとその近傍の所定数のフレームが圧縮・伸長処理部（１０６）で伸長され、画像表示用ＬＣＤ（１１２）にスロー再生される。そして、スロー再生中に表示された任意のフレームが指示されると、そのフレームがプリント用の静止画データとしてメモリーカード（１０８）に記録される。【選択図】　　　図２
2004064633.tif 000002
【特許請求の範囲】
【請求項１】
被写体像を撮像する撮像デバイスと、
前記撮像デバイスにより撮像された被写体像の動画データをフレーム毎に圧縮して記録メディアに記録する動画圧縮手段と、
前記動画データを前記記録メディアに記録する際に、任意のフレームへのマーキングデータの付加を指示するためのマーキング指示手段と、
前記マーキング指示手段によって指示されたフレームにマーキングデータを付加するマーキング手段と、
前記記録メディアから動画データを読み出しながら、前記マーキングデータが付加されているフレームを検出するサーチ手段と、
前記マーキングデータが付加されているフレームがサーチ手段により検出される都度、その該当フレームとその該当フレーム近傍の所定数のフレームをフレーム毎に伸長する動画伸長手段と、
伸長されたフレームを再生する再生手段と、
前記再生手段による再生中に表示された任意のフレームを選択するための選択手段と、
前記選択手段により選択されたフレームを静止画データとして前記記録メディアに記録する静止画データ記録手段と、
を備えていることを特徴とするデジタルカメラ。
【請求項２】
前記記録メディアがデジタルカメラ本体に着脱自在な不揮発性の記録メディアであることを特徴とする請求項１に記載したデジタルカメラ。
【請求項３】
前記記録メディアに記録されている静止画データを外部装置に出力するためのインタフェースを更に備えていることを特徴とする請求項１に記載したデジタルカメラ。
【発明の詳細な説明】
【０００１】
【発明の属する技術分野】
本発明は、撮像デバイスで動画像を撮像しその動画データを記録媒体に記録するデジタルカメラに関し、より詳細には、動画データを構成する任意のフレームをプリント用の静止画データとして記録可能なデジタルカメラに関する。
【０００２】
【従来の技術】
従来、デジタルカメラで撮像した動画像中のシーンをプリントする場合、記録媒体に記録されている動画データを再生し、プリントしたいシーンが表示されたところで一時停止操作を行なう等して静止画を表示させ、表示中の静止画データを印刷用のデータに使用していた。このため、プリントするシーンを特定するためには、再生画面を見ながら、早送り、スキップ、一時停止、再生、等の操作をこまめに行なわなければならず、非常に手間がかかっていた。また、動画データ中のシーンをフレーム単位で特定することは困難であった。
【０００３】
この種の問題を解決するために、特開２００１−３２０６６５公報記載のデジタルカメラでは、動画データをフレーム毎にコマ送り再生することにより、プリントするシーンをフレーム単位で容易に特定して、プリント指示できるようにしている。また、特開２００１−３２０６６５に開示されたデジタルカメラでは、動画ファイル内のプリント対象シーンをフレーム単位で予め特定してその情報を動画ファイルと共に記録媒体に記録しておき、プリントの際に、プリント対象シーンの中からシーンを選択してプリント指示できるようにしている。
【０００４】
【発明が解決しようとする課題】
しかしながら、特開２００１−３２０６６５で開示されたデジタルカメラのように、動画データを単にコマ送り再生する方式では、記録媒体に記録されている全ての動画データの中から目的のシーンを見つけだすために非常に長時間を要してしまう。所要時間を短縮するためには、やはり早送り操作やスキップ操作をこまめに行なう必要がある。
【０００５】
また、動画ファイルを特定するための情報やプリント対象シーンを特定するための情報を記録した管理ファイルを別途作成し、プリント処理の都度この管理ファイルを参照しなければならないため処理が複雑になる。
【０００６】
本発明は、前述した課題に鑑みてなされたものであり、その目的は、プリント対象シーンを特定するための処理を複雑化することなく、撮像した動画データ中のシーンをフレーム単位で容易に且つ短時間で特定してそのシーンの静止画データを得ることができるデジタルカメラを提供することにある。
【０００７】
【課題を解決するための手段】
前述した目的を達成するため、本発明のデジタルカメラは、請求項１に記載したように、
被写体像を撮像する撮像デバイスと、
前記撮像デバイスにより撮像された被写体像の動画データをフレーム毎に圧縮して記録メディアに記録する動画圧縮手段と、
前記動画データを前記記録メディアに記録する際に、任意のフレームへのマーキングデータの付加を指示するためのマーキング指示手段と、
前記マーキング指示手段によって指示されたフレームにマーキングデータを付加するマーキング手段と、
前記記録メディアから動画データを読み出しながら、前記マーキングデータが付加されているフレームを検出するサーチ手段と、
前記マーキングデータが付加されているフレームがサーチ手段により検出される都度、その該当フレームとその該当フレーム近傍の所定数のフレームをフレーム毎に伸長する動画伸長手段と、
伸長されたフレームを再生する再生手段と、
前記再生手段による再生中に表示された任意のフレームを選択するための選択手段と、
前記選択手段により選択されたフレームを静止画データとして前記記録メディアに記録する静止画データ記録手段と、
を備えていることを特徴としている。
【０００８】
尚、請求項１における前述の該当フレームとその該当フレーム近傍の所定数のフレームとは、マーキングデータが付加されているフレームとその後に続く所定数のフレーム、マーキングデータが付加されているフレームとその前後の所定数のフレーム、等が例として挙げられる。
【０００９】
請求項１に記載の発明によれば、撮像デバイスで撮像された被写体像の動画データがフレーム毎に圧縮されて記録メディアに記録される。その際、プリントを希望するフレームにはユーザの指示に従ってマーキングデータが付加される。記録メディアに記録された動画データの読み出し時には、マーキングデータが付加されているフレームが検索され、該当フレームが検出される度に、該当フレームとその近傍の所定数のフレームが再生される。そして、再生中に表示された任意のフレームが指示されると、そのフレームが静止画データとして記録メディアに記録される。このように、動画データの読み出し時に、マーキングデータが付加されているフレームを検索し、該当フレームが検出される度に、該当フレームとその近傍の所定数のフレームを再生し、再生中にユーザにより指示されたフレームを静止画データとして記録メディアに記録するようにしたことにより、プリント対象シーンを特定するための処理を複雑化することなく、動画データ中のシーンをフレーム単位で容易に且つ短時間で特定してそのシーンの静止画データを得ることができる。
【００１０】
また、本発明のデジタルカメラは、請求項２に記載したように、前記記録メディアがデジタルカメラ本体に着脱自在な不揮発性の記録メディアであることを特徴としている。
【００１１】
請求項２に記載の発明によれば、本発明のデジタルカメラによりプリント用の静止画データが記録された記録メディアをプリンタ、パーソナルコンピュータ、等の外部装置に装着して、希望のプリント対象シーンをプリントすることができる。
【００１２】
また、本発明のデジタルカメラは、請求項３に記載したように、前記記録メディアに記録されている静止画データを外部装置に出力するためのインタフェースを更に備えていることを特徴としている。
【００１３】
請求項３に記載の発明によれば、本発明のデジタルカメラからプリント対象シーンの静止画データを外部装置に出力してプリントすることができる。
【００１４】
以上、本発明について簡潔に説明した。更に、以下に説明される発明の実施の形態を添付の図面を参照して通読することにより、本発明の詳細は更に明確化されるであろう。
【００１５】
【発明の実施の形態】
以下、本発明の好適な実施形態を図面に基づいて詳細に説明する。各図において共通する構成要素には同一符号を付して明確化を図る。図１は本発明に係るデジタルカメラの一実施形態の外観構成の一例を示す斜視図、そして図２は本発明に係るデジタルカメラの一実施形態のシステム構成例を示すブロック図である。
【００１６】
図１に示されるように、デジタルカメラ１００は、デジタルカメラ本体（即ち、筐体）１３０と、該デジタルカメラ本体１３０の内部に設けられた撮像デバイス１０２（図２参照）に被写体像を結像する光学系装置１０１と、撮影を実行するためのレリーズスイッチ１１６と、メモリスロット１４０と、該メモリスロット１４０に着脱自在に挿入され且つデジタルカメラ本体１３０に保持される不揮発性のメモリーカード（記録メディア）１０８と、を備えている。尚、光学系装置１０１はデジタルカメラ本体１３０の前面側に設けられ、そしてメモリスロット１４０はデジタルカメラ本体１３０の一側面に設けられている。
【００１７】
また、図２に示されるように、デジタルカメラ１００は、更に、その信号処理システム構成として、前述の撮像デバイス１０２と、アナログ信号処理部１０３と、Ａ／Ｄ変換部１０４と、バッファメモリ１０５と、圧縮・伸長処理部１０６と、ＹＣ分離処理部１０７と、前述のメモリーカード１０８と、メディアインタフェース１０９と、外部装置インタフェース１１０と、ＹＣ→ＲＧＢ変換部１１１と、画像表示手段としての画像表示用ＬＣＤ（即ち、Ｌｉｑｕｉｄ　Ｃｒｙｓｔａｌ　Ｄｉｓｐｌａｙ）１１２と、ＬＣＤドライバ１１３と、操作部１１４と、操作画面用ＬＣＤ１１５と、前述のレリーズスイッチ１１６と、ＲＡＭ（即ち、Ｒａｎｄｏｍ　Ａｃｃｅｓｓ　Ｍｅｍｏｒｙ）１１７と、ＲＯＭ（即ち、Ｒｅａｄ−Ｏｎｌｙ　Ｍｅｍｏｒｙ）１２２と、制御手段としてのメインＣＰＵ（即ち、Ｃｅｎｔｒａｌ　Ｐｒｏｃｅｓｓｉｎｇ　Ｕｎｉｔ）１１８と、バッテリ１１９と、測光・測距ＣＰＵ１２０と、撮像系制御回路１２１と、を備えている。尚、図２に示されるデジタルカメラ１００の構成要素はデジタルカメラ本体１３０に設けられている。また、図２に矢印で示されるように、デジタルカメラ１００の幾つかの構成要素は共通データバス１５０等を介して互いに所要の情報を送受信可能なように接続されている。
【００１８】
光学系装置１０１は、ＡＦレンズ等の撮影レンズ１０１ａおよび絞り１０１ｂ等を有している。撮影レンズ１０１ａは、被写体像を絞り１０１ｂを通して撮像デバイス１０２の受光面に結像させる。撮像デバイス１０２は、マトリクス状またはハニカム状に配置された多数の受光素子を有するＣＣＤ（即ち、Ｃｈａｒｇｅ−Ｃｏｕｐｌｅｄ　Ｄｅｖｉｃｅ）であり、各受光素子に入射する光の光量に応じた画像信号をアナログ信号処理部１０３に出力する。
【００１９】
アナログ信号処理部１０３は、入力された画像信号に、ノイズ低減処理、白バランス処理、γ処理、等の所定のアナログ信号処理を施し、処理後の信号をＡ／Ｄ変換部１０４へ出力する。Ａ／Ｄ変換部１０４は、入力されたアナログ信号をデジタル画像信号に変換してバッファメモリ１０５へ出力する。バッファメモリ１０５は、デジタル画像データをメモリーカード１０８に記録するに際し当該デジタル画像データを一旦蓄積するためのメモリである。
【００２０】
圧縮・伸長処理部１０６は、バッファメモリ１０５に蓄積された画像データをＪＰＥＧ（即ち、Ｊｏｉｎｔ　Ｐｈｏｔｏｇｒａｐｈｉｃ　Ｅｘｐｅｒｔｓ　Ｇｒｏｕｐ）方式などの所定の圧縮方式で圧縮してメモリーカード１０８に記録したり、メモリーカード１０８から読み出された画像データを伸長したりする。この圧縮・伸長処理部１０６は、ＪＰＥＧ方式による静止画像圧縮・伸長機能と、動画圧縮手段および動画伸長手段としてのモーションＪＰＥＧ方式による動画像圧縮・伸長機能とを併せ持っている。ＹＣ分離処理部１０７は、圧縮・伸長処理部１０６に送られる未圧縮の画像データをＹＣデータ、即ち、輝度データＹと色差データＣｒ，Ｃｂとに変換する。
【００２１】
メモリーカード１０８は、フラッシュメモリを搭載した小型の半導体記録媒体等であり、デジタルカメラ１００のデジタルカメラ本体１３０に形成されたメモリスロット１４０内に交換可能に装着される。メモリーカード１０８への画像データの書き込み・読み出しは、メディアインタフェース１０９を介して行なわれる。
【００２２】
外部装置インタフェース１１０は、このデジタルカメラ１００と、パーソナルコンピュータ、プリンタ、等の外部装置２００との通信用インタフェースとして働く通信手段である。外部装置インタフェース１１０による外部装置２００との通信形態としては、ＵＳＢケーブル、プリンタケーブル、等で相互に接続して行なう有線通信、電波や赤外線を利用した無線通信、等が例として挙げられる。
【００２３】
ＹＣ→ＲＧＢ変換部１１１は、メモリーカード１０８に記録された画像データ（静止画または動画）を画像表示用ＬＣＤ１１２に表示する際に、ＹＣ分離により生成された輝度信号および色差信号をＲＧＢ信号に変換する。このＲＧＢ信号に基づいてＬＣＤドライバ１１３が画像表示用ＬＣＤ１１２を駆動することにより、画像表示用ＬＣＤ１１２にカラー画像が表示される。尚、画像表示用ＬＣＤ１１２はデジタルカメラ本体１３０の裏面等に設けられている。
【００２４】
操作部１１４は、デジタルカメラ本体１３０の例えば裏面に設けられており、図３に示されるように、モードダイヤル１１４ａと、マーキングボタン１１４ｂと、プリントボタン１１４ｃと、電源スイッチ１１４ｄと、を備えている。モードダイヤル１１４ａは回転ダイヤル式の切換スイッチであり、該モードダイヤル１１４ａを操作することにより、撮影モードと再生モードとを相互に切り換えることができるようになっている。撮影モードには、静止画撮影モードと動画撮影モードとがある。
【００２５】
マーキングボタン１１４ｂは、プリントを希望するフレームへのマーキングデータの付加を指示するための押ボタンスイッチ等で構成されるマーキング指示手段であり、動画撮影モードにおいてマーキングボタン１１４ｂを押圧操作することにより、その時点の撮像フレームにマーキングデータが付加されるようになっている。
【００２６】
プリントボタン１１４ｃは、プリントするフレームを選択するための押ボタンスイッチ等で構成される選択手段であり、再生モードにおいてプリントボタン１１４ｃを押圧操作すると、その時、画像表示用ＬＣＤ１１２に表示中のフレームがプリント用の静止画データ（以下、プリントファイルと称す。）としてメモリーカード１０８に記録されるようになっている。
【００２７】
操作画面用ＬＣＤ１１５には、その時のモードやバッテリ１１９の状態の他、各種メッセージなどが表示される。尚、操作画面用ＬＣＤ１１５はデジタルカメラ本体１３０の裏面等に設けられている。
【００２８】
レリーズスイッチ１１６は、デジタルカメラ１００に撮影開始を指示するためのスイッチであり、静止画撮影モードにおいては、このスイッチを途中まで押すと、光学系装置１０１のフォーカス制御や絞り制御が行なわれ、完全に押した時点で撮影、即ち、撮像デバイス１０２、アナログ信号処理部１０３およびＡ／Ｄ変換部１０４による被写体像の取り込みが行なわれる。動画撮影モードにおいては、このスイッチの押圧操作により、動画データの記録動作が開始される。どちらの撮影モードにおいても、光学系装置１０１は、測光・測距ＣＰＵ１２０によって制御され、撮像デバイス１０２等は、撮像系制御回路１２１によって制御される。
【００２９】
ＲＡＭ１１７は、ＣＰＵ１１８が各種処理を実行するための作業領域として使用される。ＲＯＭ１２２には、このデジタルカメラ１００の各種機能を実現するための処理プログラムが格納されている。メインＣＰＵ１１８は、このＲＯＭ１２２に記録されている処理プログラムを実行し且つ該処理プログラムに従ってデジタルカメラ１００のシステム全体を制御する制御手段として働く。また、メインＣＰＵ１１８は、動画データがメモリーカード１０８に記録される際にマーキングボタン１１４ｂにより指定された動画データ中の任意のフレームに対してマーキングデータを付加するマーキング手段、メモリーカード１０８から動画データを読み出しながら、マーキングデータが付加されているフレームを検出するサーチ手段、圧縮・伸長処理部１０６により伸長されたフレームを例えばゆっくりと（即ち、スロー）再生する再生手段、更には、プリントボタン１１４ｃの押圧操作により選択されたフレームをプリントファイルとしてメモリーカード１０８に記録する静止画データ記録手段、等を機能として備えている。
【００３０】
図４（Ａ）および図４（Ｂ）に、モーションＪＰＥＧ方式における、フレームと圧縮データとの関係を示す。モーションＪＰＥＧ方式は、図４（Ａ）に示すように連続的に撮像された複数のフレーム（静止画データ）を、図４（Ｂ）に示すようにフレーム単位でＪＰＥＧ圧縮して記録する動画圧縮方式である。従って、メインＣＰＵ１１８は、ＹＣ分離処理部１０７にてＹＣデータに変換された動画データが圧縮・伸長処理部１０６にて動画圧縮されるときに、動画データ中の任意のフレームに対してマーキングデータを付加したり、動画圧縮されたデータが圧縮・伸長処理部１０６にて伸長される前に、マーキングデータが付加されているフレームを検出したりすることが可能である。
【００３１】
図５は、動画データ中の任意のフレームに対してマーキングデータを付加する動作についての説明図である。図中の撮像データは、撮像デバイス１０２で撮像され、アナログ信号処理部１０３およびＡ／Ｄ変換部１０４を経てバッファメモリ１０５に順次一時記録されるフレーム（静止画データ）を示している。図５に示される一例では、Ｎ番目のフレームがバッファメモリ１０５に記録された時点で、レリーズスイッチ１１６が押圧操作されることにより、動画データの記録開始指示がなされ、Ｎ＋４番目のフレームがバッファメモリ１０５に記録された時点で、マーキングボタン１１４ｂが押圧操作されることにより、マーキング指示がなされている。記録開始指示がなされると、それ以降の撮像データがＹＣ分離処理部１０７によりＹＣデータに変換され、ＪＰＥＧ圧縮方式でメモリーカード１０８に記録されていく。マーキング指示がなされると、その時バッファメモリ１０５に記録されたフレームがＹＣデータへの変換およびＪＰＥＧ圧縮処理を経た後、マーキングデータを付加されてメモリーカード１０８に記録される。
【００３２】
図６は、マーキングデータが付加されているフレームの再生動作についての説明図である。図６に示される一例は、マーキングデータが付加されている圧縮フレームを検出する都度、該当フレームから１０フレーム分を４倍スロー再生するようにした場合を示している。この例では、Ｎ＋４番目のフレームが最初の該当フレームであるため、Ｎ＋４番目のフレームからＮ＋１３番目のフレームまでの伸長フレーム（ＹＣデータ）がそれぞれ４フレーム分のデータに変換される。これにより、Ｎ＋４番目のフレームからＮ＋１３番目のフレームまでの再生画像が、画像表示用ＬＣＤ１１２に通常の１／４の再生速度で表示される。そして、この例では、Ｎ＋６番目のフレームの画像が表示されている時に、プリントボタン１１４ｃが押圧操作されることにより、プリント指示がなされている。プリント指示がなされると、指示されたフレームがプリントファイルとしてメモリーカード１０８に記録される。
【００３３】
また、図６に示される一例では、Ｎ＋Ｘ番目のフレームが次の該当フレームであるため、Ｎ＋Ｘ番目のフレームからＮ＋Ｘ＋９番目のフレームまでの伸長フレームがそれぞれ４フレーム分のデータに変換されている。Ｎ＋１４番目のフレームからＮ＋Ｘ−１番目のフレームまでは、マーキングデータが付加されているフレームが存在しないため、スキップされている。つまりこの例では、Ｎ＋４番目のフレームからＮ＋１３番目のフレームまでのスロー再生後、Ｎ＋１４番目のフレームからＮ＋Ｘ−１番目のフレームまでは読み飛ばして、Ｎ＋Ｘ番目のフレームからスロー再生される。
【００３４】
次に、上記のように構成されたデジタルカメラ１００の動作について図７（Ａ）および図７（Ｂ）を参照して説明する。図７（Ａ）および図７（Ｂ）は、デジタルカメラ１００の動作内容を示すフローチャートであり、図７（Ａ）には動画記録時の動作フローが示され、そして図７（Ｂ）には動画再生時の動作フローが示されている。尚、以下に説明されるデジタルカメラ１００の動作は主にメインＣＰＵ１１８の制御下で行なわれ、図７（Ａ）および図７（Ｂ）の各フローチャートに係るデジタルカメラ１００の一連の動作はメインＣＰＵ１１８によって制御される。
【００３５】
図７（Ａ）に示されるように、モードダイヤル１１４ａにより動画撮影モードに設定され（即ち、ステップＳ１が『Ｙｅｓ』の場合において）、レリーズスイッチ１１６の押圧操作により記録開始が指示されると（即ち、ステップＳ２が『Ｙｅｓ』の場合）、撮像デバイス１０２により撮像されたデータの取り込み処理（即ち、ステップＳ３）が行なわれる。取り込まれたデータは、アナログ信号処理部１０３、Ａ／Ｄ変換部１０４、バッファメモリ１０５、およびＹＣ分離処理部１０７における一連の信号処理（即ち、ステップＳ４）を経て、圧縮・伸長処理部１０６に送られ、フレーム単位でＪＰＥＧ圧縮される（即ち、ステップＳ５）。ＪＰＥＧ圧縮後、そのフレームに対してマーキングボタン１１４ｂによるマーキング指示がなされているか否かを調べる（即ち、ステップＳ６）。マーキングボタン１１４ｂによるマーキング指示がなされていれば（即ち、ステップＳ６が『Ｙｅｓ』の場合）、そのフレーム（圧縮フレーム）にマーキングデータを付加した後（即ち、ステップＳ７）、動画ファイル生成処理（即ち、ステップＳ８）へ進み、一方、マーキングボタン１１４ｂによるマーキング指示がなされていなければ（即ち、ステップＳ６が『Ｎｏ』の場合）、マーキングデータを付加せずに動画ファイル生成処理（即ち、ステップＳ８）へ進む。動画ファイル生成処理（即ち、ステップＳ８）では、複数のフレーム（静止画データ）からなる動画データを生成していく。１つの動画ファイルを構成する全てのフレームの処理が終了したら（即ち、ステップＳ９が『Ｙｅｓ』の場合）、その動画ファイルをメモリーカード１０８に記録する（即ち、ステップＳ１０）。尚、記録が終了していなければ（即ち、ステップＳ９が『Ｎｏ』の場合）、ステップＳ２以降の処理に戻る。
【００３６】
図７（Ｂ）に示されるように、モードダイヤル１１４ａにより再生モードに設定され、再生モードで動画再生を開始すると（即ち、ステップＳ１１が『Ｙｅｓ』の場合）、メディア読み出し処理（即ち、ステップＳ１２）が行なわれる。メディア読み出し処理（即ち、ステップＳ１２）では、メモリーカード１０８から動画ファイルのデータをフレーム（圧縮フレーム）単位で順次読み出していく。そして、マーキングデータが付加されているフレームの検出を行なう（即ち、ステップＳ１３）。該当フレームを検出すると（即ち、ステップＳ１３が『Ｙｅｓ』の場合）、そのフレームをＪＰＥＧ伸長し（即ち、ステップＳ１４）、再生画像すなわち画像表示用ＬＣＤ１１２の表示を、新たにＪＰＥＧ伸長したフレームの画像に更新する（即ち、ステップＳ１５）。そして、再生画像更新（即ち、ステップＳ１５）を行なう都度、その画像がプリント対象画像に選択された否か、即ち、プリントボタン１１４ｃの押下操作により再生中のフレームのプリント指示がなされたか否かを調べる（即ち、ステップＳ１６）。プリント指示がなされたら（即ち、ステップＳ１６が『Ｙｅｓ』の場合）、そのフレームのプリントファイルを作成して、メモリーカード１０８に記録する（即ち、ステップＳ１７）。
【００３７】
上記ステップＳ１４〜ステップＳ１７までの処理を、設定されたスロー再生フレーム数分（この例では１０フレーム分）繰り返し（即ち、ステップＳ１８が繰り返し『Ｎｏ』となり）、当該設定されたスロー再生フレーム数分の処理終了後（即ち、ステップＳ１８が『Ｙｅｓ』のとき）、再生終了ではなく、続きのフレームがあれば（即ち、ステップＳ１９が『Ｎｏ』の場合）、マーキングデータが付加されているフレームを検出する処理（即ち、ステップＳ１３）に戻る。続きのフレームが無ければ（即ち、ステップＳ１９が『Ｙｅｓ』の場合）、動画再生処理を終了する。
【００３８】
上記のように、動画データの読み出し時に、マーキングデータが付加されているフレームを検索し（即ち、ステップＳ１３）、該当フレームが検出される都度（即ち、ステップＳ１３が『Ｙｅｓ』の場合）、該当フレームから所定数分（上記の例では１０フレーム分）のフレームをスロー再生し、スロー再生中に指示されたフレームをプリントファイルとしてメモリーカード１０８に記録するようにしたことにより、プリント対象シーンを特定するための処理を複雑化することなく、動画データ中のシーンをフレーム単位で容易に且つ短時間で特定してそのシーンのプリントファイルを得ることができる。ユーザは、スロー再生中に、プリントを希望するフレームが表示されたら、プリントボタン１１４ｃを押圧することで、プリントファイルをメモリーカード１０８に記録することができる。
【００３９】
そして、メモリーカード１０８に記録したプリントファイルを、外部装置インタフェース１１０を介して、プリンタ、パーソナルコンピュータ、等の外部装置２００に出力することにより、動画データ中のプリント対象シーンをプリントすることができる。また、メモリーカード１０８をプリンタやパーソナルコンピュータ等に装着して、プリントファイルを読み出すことによっても、希望のプリント対象シーンをプリントすることができる。
【００４０】
尚、本発明は、前述した実施形態に限定されるものではなく、適宜、変形，改良，等が可能である。その他、前述した実施形態における各構成要素の形状，形態，数，配置個所，等は本発明を達成できるものであれば任意であり、限定されない。
【００４１】
本実施形態では、動画データの読み出し時に、マーキングデータが付加されているフレームから所定数分のフレームをスロー再生するようにしたが、マーキングデータが付加されているフレームとその前後の所定数分のフレームをスロー再生するようにしてもよい。また、本実施形態では、スロー再生しないフレームをスキップするようにしたが、スキップする代わりに高速再生するようにしてもよい。尚、所定数分のフレームをスロー再生（即ち、ゆっくりと再生）している理由としては、当該フレーム中から任意のフレームを選択（即ち、プリント対象シーンを特定）し易くするためであるが、フレームの再生速度は任意であり、通常の再生速度（即ち、３０フレーム／秒）でもよい。
【００４２】
また、本実施形態では、動画圧縮方式としてモーションＪＰＥＧ方式を用いた場合について説明したが、その他の動画圧縮方式、例えば、ＭＰＥＧ（即ち、Ｍｏｔｉｏｎ　Ｐｉｃｔｕｒｅ　Ｅｘｐｅｒｔｓ　Ｇｒｏｕｐ）２、等のフレーム間予測符号化を行なう動画圧縮方式を用いてもよい。
【００４３】
また、本実施形態では、動画データがメモリーカード１０８に記録される際にマーキングボタン１１４ｂにより指定された動画データ中の任意のフレームに対してマーキングデータを付加するマーキング手段、メモリーカード１０８から動画データを読み出しながら、マーキングデータが付加されているフレームを検出するサーチ手段、圧縮・伸長処理部１０６により伸長されたフレームを再生する再生手段、およびプリントボタン１１４ｃの押圧操作により選択されたフレームを静止画データとしてメモリーカード１０８に記録する静止画データ記録手段を、制御手段であるメインＣＰＵ１１８が備えているが、これらマーキング手段、サーチ手段、再生手段、および静止画データ記録手段をメインＣＰＵ１１８と一体に設けず、メインＣＰＵ１１８とは別体に設けてもよい。マーキング手段、サーチ手段、再生手段、および静止画データ記録手段をメインＣＰＵ１１８と別体に設ける場合、所要の情報を送受信可能なように共通データバス１５０等に接続すればよい。
【００４４】
また、本実施形態では、撮像デバイス１０２で撮像した被写体像の動画データをフレーム毎に圧縮してメモリーカード１０８に記録する動画圧縮手段、およびマーキングデータが付加されているフレームが検出される都度、該当フレームとその近傍の所定数のフレームをフレーム毎に伸長する動画伸長手段を、圧縮・伸長処理部１０６が備えているが、これら動画圧縮手段および動画伸長手段を圧縮・伸長処理部１０６と一体に設けず、圧縮・伸長処理部１０６とは別体に設けてもよい。動画圧縮手段および動画伸長手段を圧縮・伸長処理部１０６と別体に設ける場合、所要の情報を送受信可能なように共通データバス１５０等に接続すればよい。
【００４５】
また、本実施形態では、記録メディアが半導体記録媒体等のメモリーカードである場合について説明したが、当該記録メディアとして、ＤＶＤ（即ち、Ｄｉｇｉｔａｌ　Ｖｅｒｓａｔｉｌｅ　Ｄｉｓｋ）−ＲＡＭ（即ち、Ｒａｎｄｏｍ　Ａｃｃｅｓｓ　Ｍｅｍｏｒｙ）、ＤＶＤ−ＲＷ（即ち、Ｒｅｗｒｉｔａｂｌｅ）、ＣＤ（即ち、Ｃｏｍｐａｃｔ　Ｄｉｓｃ）−ＲＷ、等の光記録媒体、ハードディスク、フロッピーディスク、等の磁気記録媒体、ＭＯ（即ち、Ｍａｇｎｅｔｏ　Ｏｐｔｉｃａｌ　Ｄｉｓｋ）等の光磁気記録媒体、等といった半導体記録媒体以外の記録媒体をデジタルカメラに採用する場合においても、本発明が有効に適用可能であることは言うまでもない。
【００４６】
【発明の効果】
以上、説明したように、本発明によれば、撮像デバイスで撮像された被写体像の動画データがフレーム毎に圧縮されて記録メディアに記録される。その際、プリントを希望するフレームにはユーザの指示に従ってマーキングデータが付加される。記録メディアに記録された動画データの読み出し時には、マーキングデータが付加されているフレームが検索され、該当フレームが検出される度に、該当フレームとその近傍の所定数のフレームが再生される。そして、再生中に表示された任意のフレームが指示されると、そのフレームが静止画データとして記録メディアに記録される。このように、動画データの読み出し時に、マーキングデータが付加されているフレームを検索し、該当フレームが検出される度に、該当フレームとその近傍の所定数のフレームを再生し、再生中にユーザにより指示されたフレームを静止画データとして記録メディアに記録するようにしたことにより、プリント対象シーンを特定するための処理を複雑化することなく、動画データ中のシーンをフレーム単位で容易に且つ短時間で特定してそのシーンの静止画データを得ることができる。
【００４７】
また、本発明のデジタルカメラに設けられる記録メディアとして、デジタルカメラ本体に着脱自在な不揮発性の記録メディアを採用すれば、本発明のデジタルカメラによりプリント用の静止画データが記録された当該記録メディアをプリンタ、パーソナルコンピュータ、等の外部装置に装着して、希望のプリント対象シーンをプリントすることができる。
【００４８】
また、記録メディアに記録されている静止画データを外部装置に出力するためのインタフェースを本発明のデジタルカメラに更に設ければ、本発明のデジタルカメラからプリント対象シーンの静止画データを外部装置に出力してプリントすることができる。
【図面の簡単な説明】
【図１】本発明に係るデジタルカメラの一実施形態の外観構成の一例を示す斜視図である。
【図２】本発明に係るデジタルカメラの一実施形態のシステム構成例を示すブロック図である。
【図３】図２に示すデジタルカメラの操作部の構成を例示する平面図である。
【図４】モーションＪＰＥＧ方式におけるフレームと圧縮データとの関係を示す説明図であり、（Ａ）は連続的に撮像された複数のフレーム（静止画データ）の例を示し、そして（Ｂ）はフレーム単位でＪＰＥＧ圧縮して記録する動画圧縮方式を示している。
【図５】動画データ中の任意のフレームに対してマーキングデータを付加する動作についての説明図である。
【図６】マーキングデータが付加されているフレームの再生動作についての説明図である。
【図７】図２に示すデジタルカメラの動作内容を示すフローチャートであり、（Ａ）は動画記録時の動作フローを示し、そして（Ｂ）は動画再生時の動作フローを示している。
【符号の説明】
１００　デジタルカメラ
１０２　撮像デバイス
１０５　バッファメモリ
１０６　圧縮・伸長処理部（動画圧縮手段、動画伸長手段）
１０８　メモリーカード（記録メディア）
１１０　外部装置インタフェース
１１２　画像表示用ＬＣＤ
１１４　操作部
１１４ｂ　マーキングボタン（マーキング指示手段）
１１４ｃ　プリントボタン（選択手段）
１１６　レリーズスイッチ
１１８　メインＣＰＵ（マーキング手段、サーチ手段、再生手段、静止画データ記録手段）
２００　外部装置
【図１】
2004064633.tif 000003
【図２】
2004064633.tif 000004
【図３】
2004064633.tif 000005
【図４】
2004064633.tif 000006
【図５】
2004064633.tif 000007
【図６】
2004064633.tif 000008
【図７】
2004064633.tif 000009